(57)【要約】【課題】実行指示を受け付けてから受信装置に対する指示情報を生成して受信装置に送信する場合に比較して、該指示情報を早期に送信可能とする。【解決手段】カメラ１２は、ストロボ１４に対する指示を示す指示情報が設定されるメモリ３４を備え、送信が指示された場合にストロボ１４に対してメモリ３４に設定された指示情報を無線通信により送信する無線通信回路３２と、実行指示が受け付けられた場合、メモリ３４に設定された指示情報の送信を指示する処理を、無線通信回路３２に対して行うＭＣＵ２０と、を備える。【選択図】図１
2020048206.tif 000002
【特許請求の範囲】
【請求項１】
受信装置に対する指示を示す指示情報が設定される設定部を備え、送信が指示された場合に前記受信装置に対して前記設定部に設定された指示情報を無線通信により送信する送信部と、
実行指示が受け付けられた場合、前記設定部に設定された前記指示情報の送信を指示する送信指示処理を、前記送信部に対して行う処理部と、
を備えた送信装置。
【請求項２】
前記処理部は、前記送信指示処理の後に、前記送信指示処理とは異なる処理を行う
請求項１に記載の送信装置。
【請求項３】
前記指示情報は、予め前記設定部に設定されている
請求項１又は請求項２に記載の送信装置。
【請求項４】
前記指示情報は、不揮発性メモリに設定されている
請求項１から請求項３の何れか１項に送信装置。
【請求項５】
前記送信部は、前記指示情報の送信より前に前記受信装置との通信を確立している
請求項１から請求項４の何れか１項に送信装置。
【請求項６】
前記指示情報は、所定の送信間隔で所定の送信回数だけ送信される
請求項１から請求項５の何れか１項に送信装置。
【請求項７】
実行指示が受け付けられた場合、受信装置に対する指示を示す指示情報が設定される設定部を備え、送信が指示された場合に前記受信装置に対して前記設定部に設定された指示情報を無線通信により送信する送信部の前記設定部に設定された前記指示情報の送信を指示する送信指示処理を、前記送信部に対して行う
送信方法。
【請求項８】
請求項１から請求項６の何れか１項に記載の送信装置と、
前記送信装置により送信された前記指示情報を受信する受信部、及び前記受信部により受信された前記指示情報により示される指示に応じた処理を実行する実行部を備えた受信装置と、
を含む通信システム。
【発明の詳細な説明】
【技術分野】
【０００１】
本発明は、送信装置、送信方法、及び通信システムに関する。
【背景技術】
【０００２】
特許文献１には、撮像装置に接続可能であり少なくとも１つの発光装置に発光命令を送信する発光制御装置と、発光制御装置からの発光命令に応じて発光する少なくとも１つの被制御発光装置とが無線で通信する発光システムが開示されている。この発光システムでは、被制御発光装置が、発光制御装置に、自身の充電状態に関する充電情報を無線で送信する第１の送信手段を有する。また、この発光システムでは、発光制御装置が、被制御発光装置から送信された充電情報を受信する受信手段と、撮像装置に対して充電の完了を通知する通知手段と、被制御発光装置に対して充電情報の送信を停止させる信号を送信する第２の送信手段と、撮像装置からの指示に応じて、被制御発光装置に発光命令を送信する第３の送信手段と、を有する。また、この発光システムでは、発光制御装置が、受信手段により、すべての被制御発光装置から充電が完了したことを示す充電情報を受信した場合、通知手段による通知を行うとともに、第２の送信手段により充電情報の送信を停止させる信号を送信する。
【先行技術文献】
【特許文献】
【０００３】
【特許文献１】特開２０１３−１７８４８１号公報
【発明の概要】
【発明が解決しようとする課題】
【０００４】
ところで、前述した発光制御装置等の送信装置から被制御発光装置等の受信装置に対して発光命令等の指示を示す指示情報を無線通信により送信する場合、無線通信回路等の送信部を介して送信することが考えられる。この場合、送信装置が、何らかの指示が受け付けられた場合に、上記指示情報を生成して無線通信回路に伝送し、無線通信回路は該指示情報を解析して無線通信により送信可能な信号に変換してから受信装置に無線通信により送信する。このため、上記指示が受け付けられてから上記指示情報を送信するまでに、タイムラグが発生してしまう場合があった。
【０００５】
しかしながら、特許文献１に記載の技術では、上記指示情報を早期に送信することについては考慮されていない。
【０００６】
本発明は、以上の事情に鑑みてなされたものであり、実行指示を受け付けてから受信装置に対する指示情報を生成して受信装置に送信する場合に比較して、該指示情報を早期に送信することができる送信装置、送信方法、及び通信システムを提供することを目的とする。
【課題を解決するための手段】
【０００７】
上記目的を達成するために、第１の発明の送信装置は、受信装置に対する指示を示す指示情報が設定される設定部を備え、送信が指示された場合に前記受信装置に対して前記設定部に設定された指示情報を無線通信により送信する送信部と、実行指示が受け付けられた場合、前記設定部に設定された前記指示情報の送信を指示する送信指示処理を、前記送信部に対して行う処理部と、を備えている。
【０００８】
一方、上記目的を達成するために、第２の発明の送信方法は、実行指示が受け付けられた場合、受信装置に対する指示を示す指示情報が設定される設定部を備え、送信が指示された場合に前記受信装置に対して前記設定部に設定された指示情報を無線通信により送信する送信部の前記設定部に設定された前記指示情報の送信を指示する送信指示処理を、前記送信部に対して行うものである。
【０００９】
また、上記目的を達成するために、第３の発明の通信システムは、第１の発明の送信装置と、前記送信装置により送信された前記指示情報を受信する受信部、及び前記受信部により受信された前記指示情報により示される指示に応じた処理を実行する実行部を備えた受信装置と、を含む。
【発明の効果】
【００１０】
本発明によれば、実行指示を受け付けてから受信装置に対する指示情報を生成して受信装置に送信する場合に比較して、該指示情報を早期に送信することができる、という効果が得られる。
【図面の簡単な説明】
【００１１】
【図１】各実施の形態に係る通信システムの構成を示すブロック図である。
【図２】各実施の形態に係る撮影処理プログラムの処理の流れを示すフローチャートである。
【図３】第１の実施の形態に係る発光処理プログラムの処理の流れを示すフローチャートである。
【図４】第２の実施の形態に係る発光処理プログラムの処理の流れを示すフローチャートである。
【発明を実施するための形態】
【００１２】
以下、図面を参照して、本発明を実施するための形態例を詳細に説明する。
【００１３】
［第１の実施の形態］
まず、図１を参照して、本実施の形態に係る通信システム１０の構成を説明する。図１に示すように、本実施の形態に係る通信システム１０は、送信装置の一例としてのカメラ１２、及び受信装置の一例としてのストロボ１４を備えている。
【００１４】
本実施の形態に係るカメラ１２は、ＭＣＵ（Micro Control Unit）２０、無線通信回路３２、撮像部３８、及びレリーズボタン４０を備えている。
【００１５】
本実施の形態に係るＭＣＵ２０は、カメラ１２の全体的な動作を司るＣＰＵ（Central Processing Unit）２２、及び各種プログラムや各種パラメータ等が予め記憶されたＲＯＭ（Read Only Memory）２４を備えている。また、ＭＣＵ２０は、ＣＰＵ２２による各種プログラムの実行時のワークエリア等として用いられるＲＡＭ（Random Access Memory）２６、及びＩ／Ｆ（InterFace）２８を備えている。そして、ＣＰＵ２２、ＲＯＭ２４、ＲＡＭ２６、及びＩ／Ｆ２８の各部がアドレスバス、データバス、及び制御バス等のバス３０を介して互いに接続されている。
【００１６】
本実施の形態に係る無線通信回路３２は、不揮発性のメモリ３４及び無線アンテナ３６を備え、Ｉ／Ｆ２８に接続されている。そして、無線通信回路３２は、ＣＰＵ２２による制御によって、ＣＰＵ２２から入力された情報、及びメモリ３４に記憶された情報等を、無線アンテナ３６を介して、無線通信により送信する。
【００１７】
また、無線通信回路３２とＣＰＵ２２とは、Ｉ／Ｆ２８を介して、異なる２つの方式による情報の伝送が可能とされている。具体的には、無線通信回路３２とＣＰＵ２２とは、Ｉ／Ｆ２８を介して、第１の方式として、ＳＰＩ（Serial Peripheral Interface）を用いた方式による情報の伝送が可能とされている。また、無線通信回路３２とＣＰＵ２２とは、Ｉ／Ｆ２８を介して、第１の方式より１回当りの通信量が少ない第２の方式として、１回の伝送当り１ビットの情報の伝送を行うＧＰＩＯ（General Purpose Input/Output）を用いた方式による情報の伝送が可能とされている。
【００１８】
なお、第１の方式として、ＵＡＲＴ（Universal Asynchronous Receiver Transmitter）やＳＣＩ（Serial Communication Interface）等のＳＰＩ以外を用いた他の方式を適用してもよい。また、第２の方式として、ＧＰＩＯ以外の１回の伝送当り１ビットの情報の伝送を行う他の方式を適用してもよい。
【００１９】
本実施の形態に係る撮像部３８は、例えばＣＣＤ（Charge Coupled Device）イメージセンサ等の撮像素子を備え、Ｉ／Ｆ２８に接続されている。そして、撮像部３８は、ＣＰＵ２２による制御によって、撮像対象とする被写体を撮像する。
【００２０】
本実施の形態に係るレリーズボタン４０は、撮影準備状態と撮影実行状態との２段階の押圧操作が検出可能に構成され、Ｉ／Ｆ２８に接続されている。本実施の形態では、撮影準備状態とは、例えばレリーズボタン４０が待機位置から中間位置（半押し位置）まで押下される状態を指す。また、本実施の形態では、撮影実行状態とは、レリーズボタン４０が中間位置を超えた最終押下位置（全押し位置）まで押下される状態を指す。なお、以下では、レリーズボタン４０が半押し位置まで押下された状態を「半押し状態」といい、レリーズボタン４０が全押し位置まで押下された状態を「全押し状態」という。
【００２１】
そして、レリーズボタン４０は、半押し状態とされたことを検出した場合に、Ｉ／Ｆ２８を介して半押し状態とされたことを示す半押し信号をＣＰＵ２２に出力する。さらに、レリーズボタン４０は、全押し状態とされたことを検出した場合に、Ｉ／Ｆ２８を介して全押し状態とされたことを示す全押し信号をＣＰＵ２２に出力する。そして、ＣＰＵ２２は、レリーズボタン４０から半押し信号が入力された場合に、撮影準備指示（撮影の事前指示）を受け付けたと見なす。また、ＣＰＵ２２は、レリーズボタン４０から全押し信号が入力された場合に、撮影実行指示を受け付けたと見なす。すなわち、ＣＰＵ２２は、ユーザによるレリーズボタン４０の操作によって、撮影準備指示及び撮影実行指示を各々受け付ける。
【００２２】
一方、本実施の形態に係るストロボ１４は、ＭＣＵ５０、無線通信回路６２、及び発光部６６を備えている。
【００２３】
本実施の形態に係るＭＣＵ５０は、ストロボ１４の全体的な動作を司るＣＰＵ５２、及び各種プログラムや各種パラメータ等が予め記憶されたＲＯＭ５４を備えている。また、ＭＣＵ５０は、ＣＰＵ５２による各種プログラムの実行時のワークエリア等として用いられるＲＡＭ５６、及びＩ／Ｆ５８を備えている。そして、ＣＰＵ５２、ＲＯＭ５４、ＲＡＭ５６、及びＩ／Ｆ５８の各部がアドレスバス、データバス、及び制御バス等のバス６０を介して互いに接続されている。
【００２４】
本実施の形態に係る無線通信回路６２は、無線アンテナ６４を備え、Ｉ／Ｆ５８に接続されている。そして、無線通信回路６２は、無線アンテナ６４を介して受信された情報を、Ｉ／Ｆ５８を介してＣＰＵ５２に出力する。
【００２５】
本実施の形態に係る発光部６６は、例えばキセノン管等の光源を備え、Ｉ／Ｆ５８に接続されている。そして、発光部６６は、ＣＰＵ５２による制御によって間欠的に発光する。
【００２６】
次に、図２を参照して、本実施の形態に係るカメラ１２の作用を説明する。なお、図２は、カメラ１２の電源スイッチがオン状態とされた場合にＣＰＵ２２によって実行される撮影処理プログラムの処理の流れを示すフローチャートである。また、本撮影処理プログラムはＲＯＭ２４に予めインストールされている。
【００２７】
図２のステップ１００で、ＣＰＵ２２は、撮影準備指示が受け付けられるまで待機する。すなわち、ユーザによるレリーズボタン４０の操作によってレリーズボタン４０が半押し状態とされると、本ステップ１００の判定が肯定判定となり、ステップ１０２に移行する。
【００２８】
ステップ１０２で、ＣＰＵ２２は、無線通信回路３２を制御して搬送波の送信を開始することによって、ストロボ１４との通信を確立する処理を行う。次のステップ１０４で、ＣＰＵ２２は、無線通信回路３２を制御して、後述する発光指示情報の受信開始の指示を示す受信開始指示情報をストロボ１４に送信する。
【００２９】
次のステップ１０６で、ＣＰＵ２２は、ストロボ１４に対する発光指示を示す発光指示情報を、上記第１の方式で無線通信回路３２のメモリ３４に記憶する処理を行うことによって、発光指示情報をメモリ３４に設定する。ステップ１０８で、ＣＰＵ２２は、撮影実行指示が受け付けられるまで待機する。すなわち、ユーザによるレリーズボタン４０の操作によってレリーズボタン４０が全押し状態とされると、本ステップ１０８の判定が肯定判定となり、ステップ１１０に移行する。
【００３０】
ステップ１１０で、ＣＰＵ２２は、無線通信回路３２に対して、上記第２の方式で発光指示情報の送信を指示する。具体的には、例えば、ＣＰＵ２２は、ＧＰＩＯをハイ（High）レベルからロー（Low）レベルにすることによって、無線通信回路３２に対して発光指示情報の送信を指示する。無線通信回路３２は、ＧＰＩＯがハイレベルにされると、ステップ１０６の処理によってメモリ３４に記憶された発光指示情報を、所定の送信間隔で所定の送信回数ストロボ１４に送信する。この送信間隔及び送信回数は、ユーザにより設定されたカメラ１２の撮影条件に関する設定等に応じて適宜定めればよい。このように、上記第２の方式で発光指示情報の送信を指示することで、上記第１の方式で発光指示情報の送信を指示する場合に比較して、早期に発光指示情報を送信することができる。
【００３１】
次のステップ１１２で、ＣＰＵ２２は、撮像部３８を制御して、被写体を撮影する。次のステップ１１４で、ＣＰＵ２２は、無線通信回路３２を制御してステップ１０２で開始した搬送波の送信を終了する。また、ＣＰＵ２２は、ＧＰＩＯをローレベルからハイレベルに戻す。次のステップ１１６で、ＣＰＵ２２は、予め定められた終了タイミングが到来したか否かを判定する。本実施の形態では、ＣＰＵ２２は、カメラ１２の電源スイッチがオフ状態とされた場合に終了タイミングが到来したと判定する。ＣＰＵ２２は、この判定が否定判定となった場合はステップ１００に戻る一方、肯定判定となった場合は本撮影処理を終了する。
【００３２】
次に、図３を参照して、本実施の形態に係るストロボ１４の作用を説明する。なお、図３は、カメラ１２により送信された上記受信開始指示情報が受信された場合にＣＰＵ５２によって実行される発光処理プログラムの処理の流れを示すフローチャートである。また、本発光処理プログラムはＲＯＭ５４に予めインストールされている。
【００３３】
図３のステップ１５０で、ＣＰＵ５２は、上記発光指示情報を受信するまで待機する。ＣＰＵ５２が上記ステップ１１０の処理によってカメラ１２により送信された発光指示情報を、無線通信回路６２を介して受信すると、本ステップ１５０が肯定判定となってステップ１５２に移行する。
【００３４】
ステップ１５２で、ＣＰＵ５２は、発光部６６を制御して発光部６６を発光させる。次のステップ１５４で、ＣＰＵ５２は、次の発光指示情報を受信するまで待機する。ＣＰＵ５２が次の発光指示情報を、無線通信回路６２を介して受信すると、本ステップ１５４が肯定判定となってステップ１５０に戻る。一方、本ステップ１５４での待機期間が、発光指示情報を受信する間隔の上限値として予め定められた期間を超えると本ステップ１５４での判定が否定判定となり、本発光処理を終了する。
【００３５】
以上説明したように、本実施の形態では、ＭＣＵ２０は、撮影準備指示が受け付けられた場合に、無線通信回路６２のメモリ３４に発光指示情報を設定する。そして、ＭＣＵ２０は、撮影実行指示が受け付けられた場合に、無線通信回路６２に対してＧＰＩＯを用いた方式でメモリ３４に設定された発光指示情報の送信を指示する処理を行う。従って、撮影実行指示が受け付けられてから発光指示情報を生成してストロボ１４に送信する場合に比較して、発光指示情報を早期に送信することができる。
【００３６】
また、本実施の形態では、ＭＣＵ２０は、発光指示情報を送信していない間も搬送波を送信することによってストロボ１４との通信を確立する処理を行っている。従って、搬送波を送信しない場合と比較して、カメラ１２から送信された発光指示情報をストロボ１４が受信する可能性を高めることができる。
【００３７】
［第２の実施の形態］
以下、本発明の第２の実施の形態について詳細に説明する。なお、本実施の形態に係る通信システム１０の構成は、上記第１の実施の形態（図１参照。）と同様であるため、ここでの説明を省略する。
【００３８】
次に、図２を参照して、本実施の形態に係るカメラ１２の作用を説明する。なお、本実施の形態に係る撮影処理は、上記第１の実施の形態に係る撮影処理とはステップ１０６の処理のみが異なるため、ここではステップ１０６の処理のみについて説明する。
【００３９】
ステップ１０６で、ＣＰＵ２２は、ストロボ１４に対する発光指示を示す発光指示情報を、上記第１の方式で無線通信回路３２のメモリ３４に記憶する処理を行うことによって、発光指示情報をメモリ３４に設定する。本実施の形態では、ＣＰＵ２２は、ストロボ１４の発光回数及び発光間隔を発光指示情報のペイロードに含めて、発光指示情報をメモリ３４に設定する。
【００４０】
次に、図４を参照して、本実施の形態に係るストロボ１４の作用を説明する。なお、図４は、カメラ１２により送信された上記受信開始指示情報が受信された場合にＣＰＵ５２によって実行される発光処理プログラムの処理の流れを示すフローチャートである。また、本発光処理プログラムはＲＯＭ５４に予めインストールされている。なお、図４における図３と同一の処理を実行するステップについては図３と同一のステップ番号を付して、その説明を省略する。また、本実施の形態では、錯綜を回避するために、本発光処理の実行開始時に後述するカウンタが０（零）に初期化されるものとして説明する。
【００４１】
図４のステップ１５１で、ＣＰＵ５２は、ステップ１５０で受信された発光指示情報のペイロードから発光回数及び発光間隔を取得する。ステップ１５６で、ＣＰＵ５２は、発光回数を数えるためのカウンタを１だけインクリメント（カウンタ←カウンタ＋１）する。
【００４２】
ステップ１５８で、ＣＰＵ５２は、カウンタがステップ１５１で取得された発光回数以上であるか否かを判定し、この判定が否定判定となった場合は、ステップ１６０に移行する。ステップ１６０で、ＣＰＵ５２は、ステップ１５１で取得された発光間隔の間、待機してステップ１５２に戻る。
【００４３】
一方、ＣＰＵ５２は、ステップ１５８の判定が肯定判定となった場合は、本発光処理を終了する。
【００４４】
以上説明したように、本実施の形態では、カメラ１２は、発光指示情報のペイロードに、発光回数及び発光間隔を含めて、発光指示情報をストロボ１４に送信している。そして、ストロボ１４は、発光指示情報を受信すると、発光指示情報のペイロードに含まれる発光間隔及び発光回数で発光部６６を発光させる。従って、ストロボ１４がカメラ１２により送信された発光指示情報を１度受信できれば、設定された発光回数及び発光間隔で発光することができる。すなわち、他の無線通信を行う無線通信装置による干渉に起因して、複数回送信された発光指示情報のうちのいくつかをストロボ１４が受信できなかった場合でも、上記第１の実施の形態と同様の効果を奏することができる。
【００４５】
なお、上記各実施の形態において、カメラ１２は、レリーズボタン４０が半押し状態とされた状態が所定期間以上（例えば３秒以上）継続した場合は、搬送波の送信を禁止することによって、搬送波の送信を停止してもよい。
【００４６】
また、上記各実施の形態において、カメラ１２は、周囲の通信可能範囲内に存在する無線通信を行う通信機器の検出を試み、ストロボ１４以外に通信機器が検出されなかった場合には、搬送波を送信しなくてもよい。この場合、例えば、ＣＰＵ２２が無線通信回路３２を介して周囲の通信機器を検出するための検出指示情報を送信して、周囲の通信機器を検出する形態が例示される。
【００４７】
さらに、この形態例において、ストロボ１４が複数の通信規格による無線通信が可能な場合、カメラ１２は、ストロボ１４との無線通信に用いる通信規格以外の通信規格については、検出指示情報のみを送信可能に構成されていてもよい。
【００４８】
また、上記各実施の形態では、撮影準備指示が受け付けられた場合に、無線通信回路３２のメモリ３４に発光指示情報を設定する場合について説明したが、これに限定されない。撮影準備指示の受け付けの有無とは無関係に、無線通信回路３２のメモリ３４に発光指示情報を予め設定しておく形態としてもよい。また、メモリ３４が揮発性のメモリである場合、例えばカメラ１２の電源がオン状態とされた場合にメモリ３４に発光指示情報を設定する形態も例示される。
【００４９】
また、上記第２の実施の形態では、発光回数及び発光間隔が発光指示情報に含まれる場合について説明したが、これに限定されない。例えば、発光回数及び発光間隔をストロボ１４に予め設定しておく形態としてもよい。
【００５０】
また、上記各実施の形態では、本発明をカメラ１２及びストロボ１４の無線通信に適用した場合について説明したが、これに限定されない。例えば、本発明を家庭用ゲーム機器のコントローラ、及び家庭用ゲーム機器の本体等の他の送信装置及び受信装置の無線通信に適用する形態としてもよい。
【００５１】
また、上記各実施の形態では、各種プログラムがＲＯＭ２４及びＲＯＭ５４に予めインストールされている場合について説明したが、本発明はこれに限定されるものではない。例えば、各種プログラムが、ＣＤ−ＲＯＭ（Compact Disk Read Only Memory）等の記憶媒体に格納されて提供される形態、又はネットワークを介して提供される形態としてもよい。
【００５２】
その他、上記各実施の形態で説明した通信システムの構成（図１参照。）は一例であり、本発明の主旨を逸脱しない範囲内において不要な部分を削除したり、新たな部分を追加したりしてもよいことは言うまでもない。
【００５３】
また、上記各実施の形態で説明した各種処理の流れ（図２〜図４参照。）も一例であり、本発明の主旨を逸脱しない範囲内において不要なステップを削除したり、新たなステップを追加したり、処理順序を入れ替えたりしてもよいことは言うまでもない。
【符号の説明】
【００５４】
１０  通信システム
１２  カメラ
１４  ストロボ
２０  ＭＣＵ
２２  ＣＰＵ
２４  ＲＯＭ
３２  無線通信回路
３４  メモリ
５０  ＭＣＵ
５２  ＣＰＵ
５４  ＲＯＭ
６２  無線通信回路
６６  発光部
【図１】
2020048206.tif 000003
【図２】
2020048206.tif 000004
【図３】
2020048206.tif 000005
【図４】
2020048206.tif 000006